(57)【要約】【課題】飛散物による破損のみならず風圧による破損を十分に防止できる窓ガラス破損防止具を提供する。【解決手段】この窓ガラス破損防止具１の本体３は、窓ガラス５の全体に対応する大きさを有する容器状をなす。この容器状の全周縁部に接触部９が形成されて、窓ガラス５のガラス枠１１に、またはガラス枠１１近傍のガラス面に、接する。窓ガラス５の中央部は、吸盤１３により吸引され、この吸盤１３は固定手段１５により、容器状の本体３の中央部に引きつけられて固定される。【選択図】図１
2011149263.tif 000002
【特許請求の範囲】
【請求項１】
窓ガラスの全体に対応する大きさを有する容器状の本体と、この容器状の全周縁部に形成されて前記窓ガラスのガラス枠に、またはこのガラス枠近傍のガラス面に、接する接触部と、前記窓ガラスの中央部を吸引する吸盤と、この吸盤を前記容器状の本体の中央部に引きつけて固定する固定手段と、を有することを特徴とする窓ガラス破損防止具。
【請求項２】
前記固定手段は、前記吸盤に一端が取付けられるバンド部と、このバンド部の片面に形成される複数の係止凹凸と、前記本体の中央部に取付けられ前記バンド部の他端を挿通できる挿通孔を有するヘッド部と、前記挿通孔の内部に設けられ前記係止凹凸に係止する係止片と、この係止を解除するために前記係止片に連続するハンドルと、を有してなることを特徴とする請求項１に記載の窓ガラス破損防止具。
【発明の詳細な説明】
【技術分野】
【０００１】
この発明は、窓ガラスに装着して窓ガラスの破損を防止する防止具の構造に関する。
【背景技術】
【０００２】
台風の風圧や飛散物などによる窓ガラスの破損を防止する防止具には、例えば、下記の特許文献１に記載されるように、窓ガラスに吸盤によって、ゴムまたは弾性プラスチック製のマットを保護材として装着するものがある。このマットの片面は、多数の円錐状突起を有し、ガラス面に接する。
【０００３】
また、下記の特許文献２に記載されるように、吸盤などによって、格子状の保護材を装着するものがある。
【先行技術文献】
【特許文献】
【０００４】
【特許文献１】実開平７−２９１２６
【特許文献２】特開２００７−１２０２５６
【発明の概要】
【発明が解決しようとする課題】
【０００５】
しかしながら、特許文献１、２の保護材は、飛散物などによる破損はある程度防止できるものの、ガラス面と保護材との間に大きな隙間があるので、特に風圧による破損を十分に防止できない。
また、仮に、特許文献１、２の保護材を大きくして、ガラス面と保護材との間の隙間を減少させても、保護材に働く風圧は、吸盤を通してガラス面に伝わり、破損の可能性を小さくできない。
この発明は、以上の問題点を解決するために、飛散物による破損のみならず風圧による破損を十分に防止できる窓ガラス破損防止具を提供することを目的とする。
【課題を解決するための手段】
【０００６】
以上の課題を解決するために、第一発明は、窓ガラスの全体に対応する大きさを有する容器状の本体と、この容器状の全周縁部に形成されて前記窓ガラスのガラス枠に、またはこのガラス枠近傍のガラス面に、接する接触部と、前記窓ガラスの中央部を吸引する吸盤と、この吸盤を前記容器状の本体の中央部に引きつけて固定する固定手段と、を有することを特徴とする窓ガラス破損防止具である。
【０００７】
第二発明は、さらに、前記固定手段は、前記吸盤に一端が取付けられるバンド部と、このバンド部の片面に形成される複数の係止凹凸と、前記本体の中央部に取付けられ前記バンド部の他端を挿通できる挿通孔を有するヘッド部と、前記挿通孔の内部に設けられ前記係止凹凸に係止する係止片と、この係止を解除するために前記係止片に連続するハンドルと、を有してなることを特徴とする窓ガラス破損防止具である。
【発明の効果】
【０００８】
第一、又は第二発明によれば、窓ガラスの全体に対応する大きさを有する容器状の本体が受けた風圧は、窓ガラスのガラス枠に、またはこのガラス枠近傍のガラス面に、伝えられる。このとき、窓ガラスのガラス枠は十分な強度があり、またはガラス枠近傍のガラス面はガラス面の中央に比べ強度が強い。また、風圧を伝える接触部は、本体の全周縁部に形成されるので、風圧を分散させやすい。これらのことから、風圧による窓ガラスの破損を十分に防止できる。
【０００９】
また、吸盤は、窓ガラスの中央部を吸引し本体の中央部に引きつけて固定するので、本体が受けた風圧をガラス面に伝えにくく、窓ガラス面の変形を緩和することができ、破損を防止できる。
【００１０】
第二発明によれば、さらに、固定手段は、市販の繰り返し使用可能な結束バンドの構成を利用でき、安価に、確実に、固定できる。
すなわち、市販の結束バンドは、バンド部の片面に複数の係止凹凸が形成される。このバンド部の一端には、バンド部の他端を挿通できる挿通孔を有するヘッド部が設けられる。そして、挿通孔の内部には、係止凹凸に係止する係止片が設けられる。繰り返し使用可能なタイプの結束バンドでは、この係止を解除するために係止片に連続するハンドルが設けられる。このような繰り返し使用可能な結束バンドのバンド部とヘッド部を切り離して利用することで、安価に、確実に、固定できる固定手段が得られる。
【図面の簡単な説明】
【００１１】
【図１】この発明の第一実施形態を示す正面図である。
【図２】図１の縦断面図である。
【図３】この発明の第二実施形態を示す正面図である。
【図４】図３の縦断面図である。
【図５】この発明の第三実施形態を示す正面図である。
【図６】図５の縦断面図である。
【図７】図２，または図４の要部VIIの拡大図である。
【図８】図６の要部VIIIの拡大図である。
【発明を実施するための形態】
【００１２】
「第一実施形態」
この発明の第一実施形態を、図１，図２，および図７に示す。
［全体概略］
この窓ガラス破損防止具１の本体３は、窓ガラス５の全体に対応する大きさを有する容器状をなす。すなわち、この容器状は、窓ガラス５の全体の四角形を底面とする、四角錐台状である。底面７は開口している。この開口する底面７の全周縁部に接触部９が形成されて、窓ガラス５のガラス枠１１に、接する。窓ガラス５の中央部は、吸盤１３により吸引される。この吸盤１３は固定手段１５により、容器状の本体３の中央部に引きつけられて固定される。
【００１３】
［本体３］
本体３は、プラスチック製で、やや弾性のあるものが好ましい。
［接触部９］
接触部９は、本体３の開口する底面７の全周縁部に設けられる。図２に示すように、その断面は、外側底部にＬ字状の切欠１７が形成され、ガラス枠１１の断面の内側上部の角部１９に、嵌合する。この嵌合により、窓ガラス破損防止具１はしっかりと位置決めされる。
【００１４】
［固定手段］
図７に示すように、固定手段１５は、吸盤１３に一端が取付けられるバンド部２１と、バンド部２１の他端を挿通できる挿通孔２３を有するヘッド部２５と、からなる。そして、このバンド部２１の片面には、複数の係止凹凸２７が形成される。ヘッド部２５は、本体３の頂部の外側に位置し、本体３の中央部に接して取付けられる。ヘッド部２５の挿通孔２３の内部には、係止片２９が設けられ、バンド部２１の係止凹凸２７に係止する。この係止片２９には、ハンドル３１が連続して設けられ、ハンドル３１を押す（図中矢印）ことで、係止を解除できる。
【００１５】
この固定手段１５は、市販の繰り返し使用可能なタイプの結束バンドを利用できる。市販の結束バンドは、バンド部２１の片面に複数の係止凹凸２７が形成される。このバンド部２１の一端には、バンド部２１の他端を挿通できる挿通孔２３を有するヘッド部２５が設けられる。そして、挿通孔２３の内部には、係止凹凸２７に係止する係止片２９が設けられる。繰り返し使用可能なタイプの結束バンドでは、この係止を解除するために係止片２９に連続するハンドル３１が設けられる。すなわち、ハンドル３１を押す（図７中矢印）と支点３２回りに係止片２９が微少回動し、係止片２９の先端が係止凹凸２７から外れる。
この固定手段１５は、このような繰り返し使用可能な結束バンドのバンド部２１とヘッド部２５を切り離して利用する。なお、図中２１Ｂは、バンド部２１を切り離した残り部分である。
【００１６】
このような市販の繰り返し使用可能なタイプの結束バンドとしては、例えば、ヘラマンタイトン株式会社製の結束バンド（インシュロック）であるリピートシリーズのリピートタイがある。
【００１７】
「実施形態の効果」
以上の第一実施形態によれば、窓ガラス５の全体に対応する大きさを有し、四角錐台状の容器状の本体３が受けた風圧は、本体３の形状により表面に沿ってそらされ、窓ガラス５のガラス枠１１に、伝えられる。このとき、窓ガラス５のガラス枠１１は十分な強度があるため、また、風圧を伝える接触部９は、本体３の全周縁部に形成され、風圧を分散させやすいため、風圧による窓ガラス５の破損を十分に防止できる。
【００１８】
また、吸盤１３は、窓ガラス５の中央部を吸引し、バンド部２１の張力によって、本体３の中央部に引きつけて固定される。よって圧縮力は伝えられないので、本体３が受けた風圧をガラス面に伝えにくい。そして、張力による固定により、本体内部３３に侵入した風圧や部屋に侵入した風圧による窓ガラス面の変形を、緩和することができる。このため、窓ガラス５の破損を防止できる。もっとも、本体内部３３は、外部と通気がほとんど無いので、風圧が本体内部３３に侵入する可能性は小さい。
【００１９】
さらに、固定手段１５は、市販の繰り返し使用可能な結束バンドの構成を利用でき、安価に、確実に、緩まずに、固定できる。また、仮に、風で飛ばされても、軽く、安全である。
【００２０】
「第二実施形態」
以上の実施形態では、接触部９は、窓ガラス５のガラス枠１１に接するものであったが、他の実施形態では、ガラス枠１１近傍のガラス面に接するものとしてもよい。
すなわち、図３，図４，および図７に示す第二実施形態のように、この容器状の全周縁部に係止された接触部９は、ガラス枠１１近傍のガラス面に接する。窓ガラス５のガラス枠１１ほど十分な強度はないものの、ガラス枠１１近傍のガラス面はガラス面の中央に比べ強度が強い。また、本体内部３３は、外部と通気がほとんど無い。よって、窓ガラス破損防止の効果は十分に期待できる。
【００２１】
「第三実施形態」
以上の実施形態では、吸盤１３は１つだけであったが、他の実施形態では、２つ以上としてもよい。すなわち、図５，図６，および図８に示す第三実施形態のように、吸盤１３を例えば２つ設けることもできる。
【００２２】
また、固定手段１５として使用できる市販の繰り返し使用可能な結束バンドは、種々のものがあり、この第三実施形態の図８のように、バンド部２１を折り返して、固定を強固にすることが可能である。折り返されたバンド部２１は、折返用挿通孔３５を通って本体３の表面に、コンパクトに折り畳まれることになる。
【００２３】
このようなバンド部２１を折り返す構成を有する市販の繰り返し使用可能なタイプの結束バンドとしては、例えば、ヘラマンタイトン株式会社製の結束バンド（インシュロック）であるリピートシリーズのラッシングタイ（RT250タイプ）がある。
【００２４】
「他の実施形態」
以上の実施形態では、本体３は四角錐台状等であったが、他の実施形態では、外部との通気を少なくできる容器状であれば、形状は限定されない。例えば、ドーム形でも良い。
【００２５】
以上の実施形態では、吸盤１３は、バンド部２１の張力によって、本体３の中央部に引きつけて固定されるものであったが、他の実施形態では、バンド部２１以外のものであっても、張力のみを伝達できる張力材であれば使用でき、紐、ロープ、ワイヤ、ゴムバンドなどが使用できる。
【符号の説明】
【００２６】
１…窓ガラス破損防止具、３…本体、５…窓ガラス、７…底面、９…接触部、１１…ガラス枠、１３…吸盤、１５…固定手段、１７…切欠、１９…角部、２１…バンド部、２３…挿通孔、２５…ヘッド部、２７…係止凹凸、２９…係止片、３１…ハンドル、３２・・支点、３３…本体内部、３５…折返用挿通孔。
【図１】
2011149263.tif 000003
【図２】
2011149263.tif 000004
【図３】
2011149263.tif 000005
【図４】
2011149263.tif 000006
【図５】
2011149263.tif 000007
【図６】
2011149263.tif 000008
【図７】
2011149263.tif 000009
【図８】
2011149263.tif 000010